(57)【要約】【課題】より精度の高い射撃を実現する。【解決手段】球形弾１ａの３つの慣性主軸α、β、γのうちの、慣性主軸α周りの慣性モーメントを、他の慣性主軸β、γ周りの慣性モーメントに比べて大きくする。この為に、上記球形弾１ａの表面のうちで、慣性主軸αに垂直に交わり、且つ、重心を通過する仮想平面と交わる部分に、全周に亙り塗料を帯状に塗布（印刷）する事により、当該部分を重くした、質量増大部１０を設ける。【選択図】図４
2006313028.tif 000002
【特許請求の範囲】
【請求項１】
圧縮流体の圧力に基づき発射される球状の弾丸（以下球形弾）に於いて、それぞれが重心を通過し、且つ、互いに直交する3つの慣性主軸のうちの何れかの慣性主軸周りの慣性モーメントを、他の慣性主軸周りの慣性モーメントに比べて大きくした事を特徴とする球形弾。
【請求項２】
何れかの慣性主軸に垂直に交わり、且つ、重心を通過する仮想平面と、表面とが交わる部分を、他の部分に比べて重くする事により、当該慣性主軸周りの慣性モーメントを、他の慣性主軸周りの慣性モーメントに比べて大きくした、請求項１に記載した球形弾。
【請求項３】
表面のうちで仮想平面と交わる部分に、全周に亙り塗料を帯状に塗布する事により、当該部分を重くした、請求項２に記載した球形弾。
【請求項４】
慣性モーメントを大きくした慣性主軸を所定の向きに向ける為の基準となる印を設けた、請求項１〜３の何れか１項に記載した球形弾。
【請求項５】
圧縮流体の圧力に基づき球状の弾丸を発射する、球形弾の発射装置であって、この球形弾を、慣性モーメントを大きくした慣性主軸を発射方向に直交する方向に向けた状態で配置する配置手段と、上記球形弾の発射と共にこの球形弾に上記慣性主軸を中心とする回転を与える回転付与手段とを備えた、球形弾の発射装置。
【請求項６】
球形弾を発射する為のノズルの先端を標的に向けた状態で、配置手段は、この球形弾を、慣性モーメントを大きくした慣性主軸を水平にした状態で配置するものであり、回転付与手段は、上記球形弾にこの慣性主軸を中心とした発射方向上向の回転を与えるものである、請求項５に記載した球形弾の発射装置。
【請求項７】
球形弾を発射する為のノズルの先端を標的に向けた状態で、配置手段は、この球形弾を、慣性モーメントを大きくした慣性主軸を水平にした状態で配置するものであり、回転付与手段は、上記球形弾にこの慣性主軸を中心とした発射方向下向の回転を与えるものである、請求項５に記載した球形弾の発射装置。
【請求項８】
球形弾を発射する為のノズルの先端を標的に向けた状態で、配置手段は、この球形弾を、慣性モーメントを大きくした慣性主軸を鉛直方向に向けた状態で配置するものであり、回転付与手段は、上記球形弾にこの慣性主軸を中心とした発射方向左向き又は右向きの回転を与えるものである、請求項５に記載した球形弾の発射装置。
【請求項９】
複数本のノズルを備え、これら各ノズル毎に設けた各回転付与手段は、それぞれのノズルから発射される球形弾に、それぞれ異なる方向の回転を与えるものである、請求項５〜８の何れか１項に記載した球形弾の発射装置。
【請求項１０】
回転付与手段が、球形弾を発射した際にこの球形弾の表面の一部と摺接する事により、この球形弾にこの球形弾の発射方向に直行する軸を中心とする回転を与える摺接部であり、配置手段が、上記球形弾を、慣性モーメントを大きくした慣性主軸に垂直に交わり、且つ、重心を通過する仮想平面と、上記摺接部とを一致させた状態で配置するものである、請求項５〜８の何れか１項に記載した球形弾の発射装置。
【請求項１１】
球形弾の表面のうちで仮想平面と交わる部分に、全周に亙り磁性体を含む塗料を帯状に塗布しており、配置手段が磁力に基づき上記球形弾を、上記仮想平面と摺接部とを一致させた状態で整列させるものである、請求項１０に記載した球形弾の発射装置。
【請求項１２】
配置手段を構成する磁石を、発射前の球形弾を収納する弾倉内側に設けた、請求項１１に記載した球形弾の発射装置。
【請求項１３】
配置手段を構成する磁石を、球形弾を発射する為のノズルの内側に設けた、請求項１１に記載した球形弾の発射装置。
【発明の詳細な説明】
【技術分野】
【０００１】
本発明の球形弾とその発射装置は、圧縮空気や炭酸ガス或いはフロンガス等の圧縮流体（圧縮ガス）を使用して球形弾を発射する、例えば玩具銃において、球形弾（所謂ＢＢ弾やペイントボール）の所定の軸周りに安定した回転を生じさせる事により、より精度の高い射撃を実現するものである。
【背景技術】
【０００２】
球形弾は、例えば玩具のエアガンに使用される。エアガンは圧縮した空気により球形の弾丸を発射する。このとき球形弾に重力方向に直交する軸（水平軸）周りの回転を上向きに与えることにより揚力を働かせ飛距離を長くする事が、例えば特許文献１等に記載され、従来から知られている。このことは同時に弾道の安定にも貢献する。従来は球形弾にいかにこの回転を与えるかという発射装置の構造に主眼が置かれていた。そのため球形弾そのものに対してはより真球に、バリなく、内部に空洞がない、均質な性能が求められるのみに留まっていた。つまり均質な材料を使用した中実の真球である。この場合、球形弾には中心を通過する直交した３軸を慣性主軸として採ることができ、各慣性主軸は同じ慣性モーメントを持つことになる。慣性主軸は球形弾の中心を通過する直交した3軸ならばどのような向きに採っても同じである。
【０００３】
尚、実弾を発射するライフル銃等の場合には、弾丸に推進方向周りの回転を与えて弾道を安定させる方法が知られている。但し、この方法は玩具のエアガンの弾丸である球形弾に適用させるのは困難である。また軽量の球形弾をより遠くへ飛ばしたいという重力方向に直交する軸周りの回転を上向きに与え、浮力（揚力）を得る方法とも共存できない。
【０００４】
一方、ゴルフボールに対して飛球性能を高めるために外皮に近いところに質量を配することで慣性モーメントを増加させることがよく見受けられる。しかしゴルフボールは従来の球形弾と同じく３本の慣性主軸に対して均等に慣性モーメントが割り振られる構造となっている。従って慣性主軸もゴルフボールの中心を通過する直交した３軸ならば自由に採れる。なぜならゴルフボールはホールインまで数回打たなければならないため本発明のように特定の１軸まわりの慣性モーメントが大きいと軸合わせのできないティーショットとパッティング以外のショットでは弾道がぶれてしまうからである。本発明の対象となる球形弾は射撃が目的のため打ち放すから射撃前に一回軸合わせをすればよい。
【０００５】
以下に図1を用いて従来の球形弾とその発射装置を示す。図１の（A）は従来の球形弾１の構造である。均一の材料で、重心が球の中心となるよう、製造時に気泡が入らないよう、真球に近くなるよう、寸法が正確になるよう、に考えて製造されている。図１の（B）は従来の球形弾の発射装置２である。球形弾１およびその発射装置２は玩具のため安全確保をせねばならずあまり多くのエネルギーを球形弾１に与えられない（ガス圧が法律により規制されている）。しかしより遠くへ球形弾１を飛ばしたいという要求がある。そこで従来の発射装置２は通常球形弾１に上向きの回転を与えて上方に揚力を発生させることで遠距離へ飛ばすような特徴を持っている。
【０００６】
図2には実弾を発射するライフル銃３とライフル弾４を示す。このライフル銃３は銃身５に螺旋状の溝６が切ってあり、ライフル弾４が銃身５を通過する際回転力が与えられる。ライフル弾４の推進方向に対して回転しながら飛ぶため弾道が安定する。
【０００７】
図3には慣性モーメントを増加させることを目的としたゴルフボール７を示す。慣性モーメントは慣性主軸と質量の距離の二乗に比例して大きくなるため、中心から遠い外皮８に近い部分に重い材料を配することになる。
【０００８】
【特許文献１】特開平６−３０９１号公報
【発明の開示】
【発明が解決しようとする課題】
【０００９】
上述のように従来は球形弾１に回転を与えて飛距離を伸ばすための工夫がされてきた。このときの射撃の精度に対しては発射装置２の精度向上によるものが主体であり、球形弾１に対しては均質で高精度の物を要求するに留まっていた。なお現在日本で主流の玩具のエアガンに使用する球形弾は直径6〜8[mm]程度と小さく、質量0.1〜0.4[g]程度と軽いため精度向上が難しい。
よって本発明は上述した現状に鑑み、回転を安定させることによって射撃精度を向上させることができる球形弾の構造およびその発射装置の構造を提供する事を課題としている。
【課題を解決するための手段】
【００１０】
本発明の球形弾とその発射装置のうち、請求項１に記載した球形弾は、圧縮流体の圧力に基づき発射される、球状のものである。
特に、本発明の球形弾に於いては、それぞれが重心を通過し、且つ、互いに直交する3つの慣性主軸のうちの何れかの慣性主軸周りの慣性モーメントを、他の慣性主軸周りの慣性モーメントに比べて大きくしている。
【００１１】
又、請求項５に記載した球形弾の発射装置は、圧縮流体の圧力に基づき球状の弾丸を発射するものである。
特に、本発明の球形弾の発射装置は、上記球形弾を、慣性モーメントを大きくした慣性主軸（最大の慣性モーメントを持つ慣性主軸）を発射方向に直交する方向に向けた状態で配置する配置手段と、上記球形弾の発射と共にこの球形弾に上記慣性主軸を中心とする回転を与える回転付与手段とを備えたものである。
【発明の効果】
【００１２】
本発明の球形弾と球形弾の発射装置によれば、球形弾の中心であり重心である点を通過する直交した3本の慣性主軸のうち、何れか1軸の慣性モーメントを増加させ、最大の慣性モーメントをもつ慣性主軸とすることにより、その慣性主軸周りに安定した回転を発生および持続しやすくできる。
即ち、物体(剛体)は重心を通過し、互いに直交する３つの慣性主軸をもつ。この3つの慣性主軸は、最大の慣性モーメントを持つ慣性主軸、中間の慣性モーメントを持つ慣性主軸、最小の慣性モーメントを持つ慣性主軸で構成される。物理学的には最大と最小の慣性モーメントを持つ慣性主軸周りの回転は安定し、中間の慣性モーメントをもつ慣性主軸まわりの回転は不安定になる。
本発明の球形弾の場合には、最大の慣性モーメントを持つ慣性主軸が1本、最小の慣性モーメントを持つ慣性主軸が2本となる。この場合最大の慣性モーメントを持つ慣性主軸周りに回転させると最も安定する。
そして、この様に最も安定する、最大の慣性モーメントを持つ慣性主軸周りに回転を与えることで、上記球形弾の弾道を安定させ、高い命中精度を得る事ができる。
【発明を実施するための最良の形態】
【００１３】
請求項１に記載した球形弾を実施する場合に好ましくは、請求項２に記載した様に、何れかの慣性主軸に垂直に交わり、且つ、重心を通過する仮想平面と、表面とが交わる部分を、他の部分に比べて重くする事により、当該慣性主軸周りの慣性モーメントを、他の慣性主軸周りの慣性モーメントに比べて大きくする。この場合に好ましくは、請求項３に記載した様に、表面のうちで仮想平面と交わる部分に、全周に亙り塗料を帯状に塗布（例えば印刷）する事により、当該部分を重くする。尚、当該部分を、例えば、浸透、挟み込み、割り込み、くり抜き、材料密度の変化、質量の異なる材料による成型により重くしても良い。
この様に構成すれば、互いに直交する3つの慣性主軸のうちの何れかの慣性主軸周りの慣性モーメントを他の慣性主軸周りの慣性モーメントに比べて大きくした球形弾を、安価に提供できる。
【００１４】
又、本発明を実施する場合に好ましくは、請求項４に記載した様に、慣性モーメントを大きくした慣性主軸（最大の慣性モーメントを持つ慣性主軸）を所定の向きに向ける為の基準となる印を設ける。この様な印としては、例えば、磁性体、着色、導体等を好ましく使用できる。
この様に構成すれば、球形弾の最大の慣性モーメントを持つ慣性主軸（の方向等）を容易に認識できる。
【００１５】
又、請求項５に記載した球形弾の発射装置を実施する場合に好ましくは、請求項６に記載した様に、配置手段は、球形弾を発射する為のノズル（銃身）の先端を標的に向けた状態で、この球形弾を、慣性モーメントを大きくした慣性主軸（最大の慣性モーメントを持つ慣性主軸）を水平にした状態で配置するものである。又、回転付与手段は、同じく上記ノズルの先端を標的に向けた状態で、上記球形弾に上記慣性主軸を中心とした発射方向上向の回転を与えるものとする。
この様に構成すれば、球形弾に安定したホップ回転を与え、この球形弾をより遠くへ飛ばすと共に、より精度の高い弾道を安定して得る事ができる。
【００１６】
又、本発明を実施する場合に好ましくは、請求項７に記載した様に、球形弾を発射する為のノズルの先端を標的に向けた状態で、配置手段は、この球形弾を、慣性モーメントを大きくした慣性主軸を水平にした状態で配置するものとし、回転付与手段は、上記球形弾に上記慣性主軸を中心とした発射方向下向の回転を与えるものとする事もできる。又、請求項８に記載した様に、球形弾を発射する為のノズルの先端を標的に向けた状態で、配置手段は、この球形弾を、慣性モーメントを大きくした慣性主軸を鉛直方向に向けた状態で配置するものとし、回転付与手段は、上記球形弾に上記慣性主軸を中心とした発射方向左向き又は右向きの回転を与えるものとする事もできる。
更に、これらの構成を採用する場合に、請求項９に記載した様に、複数本のノズルを備え、これら各ノズル毎に設けた各回転付与手段は、それぞれのノズルから発射される球形弾に、それぞれ異なる方向の回転を与えるものとする事もできる。
【００１７】
この様に構成すれば、球形弾の弾道をコントロールし、任意の方向へ曲げることができる他、必要に応じて球形弾を上下左右へ散らして飛ばす事ができる。即ち、上方向へ飛ばすためには、前述した様に、慣性モーメントを大きくした慣性主軸（最大の慣性モーメントを持つ慣性主軸）を水平にした状態でこの慣性主軸を中心とした発射方向上向の回転（重力方向に直交する軸周りに上向き回転）を与える。又、下方向に飛ばすためには、同じく上記慣性主軸を水平にした状態でこの慣性主軸を中心とした発射方向下向の回転（重力方向に直交する軸周りに下向き回転）を与える。又、右方向へ飛ばすためには、同じく上記慣性主軸を鉛直方向に向けた状態でこの慣性主軸を中心とした発射方向右向きの回転（重力方向の軸周りに右向きの回転）を与える。又、左方向へ飛ばすためには、同じく上記慣性主軸を鉛直方向に向けた状態でこの慣性主軸を中心とした発射方向左向きの回転（重力方向の軸周りに左向きの回転）を与える。そして、必要に応じて、上記慣性モーメントを大きくした慣性主軸を所定の方向に向けた状態で所定方向の回転を与える事で、上記球形弾の弾道を所望の方向に曲げる事ができる。
【００１８】
又、本発明を実施する場合に好ましくは、請求項１０に記載した様に、回転付与手段を、球形弾を発射した際にこの球形弾の表面の一部と摺接する事により、この球形弾にこの球形弾の発射方向に直行する軸を中心とする回転を与える摺接部とする。又、これと共に、配置手段が、上記球形弾を、慣性モーメントを大きくした慣性主軸に垂直に交わり、且つ、重心を通過する仮想平面と、上記摺接部とを一致させた状態で配置するものとする。
この様に構成すれば、簡素な構造で、慣性モーメントを大きくした慣性主軸に所定の方向の回転を与える事ができる。
【００１９】
又、本発明を実施する場合に好ましくは、請求項１１に記載した様に、球形弾の表面のうちで仮想平面と交わる部分に、全周に亙り磁性体を含む塗料を帯状に塗布する。そして、配置手段が、磁力に基づき上記球形弾を、上記仮想平面と摺接部とを一致させた状態で整列させるものとする。この場合に、この配置手段を構成する磁石を、請求項１２に記載した様に、発射前の球形弾を収納する弾倉内側に設けたり、請求項１３に記載した様に、球形弾を発射する為のノズルの内側に設ける事ができる。尚、この様に球形弾を整列させるために、磁力の他、色識別センサー、導通センサー等を使用する事もできる。この場合には、上記球形弾に、例えば所定の着色をしたり、導体を添着したりする。
この様に構成すれば、慣性モーメントを大きくした慣性主軸（最大の慣性モーメントを持つ慣性主軸）周りに意図する回転を正確、且つ、確実に与えられる。
【実施例】
【００２０】
図４〜６は、本発明の実施例を示している。このうちの図４は、特許請求の範囲に記載した球形弾に相当する球形弾1ａを、図５は、発射装置２ａを、図６は、配置手段９を、図７は、配置手段９ａの別例を、図８は、発射装置２ｂ及び配置手段９ｂの別例を、それぞれ示している。本実施例の球形弾１ａは、前述した所謂ＢＢ弾やペイントボールである従来の球形弾１（図１参照）と同様に、球状のもので、エアーガン等の玩具銃により、圧縮空気や炭酸ガス或いはフロンガス等の圧縮流体（圧縮ガス）の圧力に基づき発射される。特に本実施例の球形弾１ａの場合には、図４に詳示する様に、それぞれが重心を通過し、且つ、互いに直交する3つの慣性主軸α、β、γのうちの何れかの慣性主軸周り（本実施例の場合はα軸周り）の慣性モーメントを、他の慣性主軸周り（本実施例の場合はβ、γ軸周り）の慣性モーメントに比べて大きくしている。
【００２１】
この為に、本実施例の場合には、上記球形弾１ａの表面のうちで、上記α軸に垂直に交わり、且つ、重心Ｇを通過する仮想平面と交わる部分を、他の部分に比べて重くしている。より具体的には、上記球形弾１ａの表面のうちで、上記仮想平面と交わる部分に、全周に亙り塗料を帯状に塗布（例えば印刷）する事により、当該部分を他の部分に比べて重くした、質量増大部１０を設けている。尚、当該部分を、例えば、浸透、挟み込み、割り込み、くり抜き、材料密度の変化により、他の部分に比べて重くして、この様に重くした部分を質量増大部１０とする事もできる。又、本実施例の場合には、後述する様に、上記質量増大部１０を、磁性体を含むものとする（質量増大部１０を構成する塗料に磁性体を含ませる）事により、上記慣性モーメントを大きくした慣性主軸α（最大の慣性モーメントを持つ慣性主軸α）を所定の向きに向ける為の基準となる印としている。尚、この様な印としては、上記質量増大部１０を、他の部分と異なる色で着色したり、或いは、導体等を含むものとする事もできる。
【００２２】
又、上述の様な球形弾１ａを発射する為の本発明の発射装置２ａは、前述した従来の発射装置２（図１参照）と同様に、圧縮流体の圧力に基づき上記球形弾１ａを発射する。特に本実施例の場合には、図６に示す様に、上記球形弾１ａを、慣性モーメントを大きくした慣性主軸α（最大の慣性モーメントを持つ慣性主軸α）を発射方向に直交する方向に向けた状態で配置する配置手段９と、図５に示す様に、上記球形弾１ａの発射と共にこの球形弾１ａに上記慣性主軸αを中心とする回転｛本例の場合は、銃身５ａの先端を標的に向けた状態で、慣性主軸αを中心とした発射方向上向（図５の矢印イ方向）の回転｝を与える回転付与手段１１とを備えている。このうちの回転付与手段１１は、ゴム等の弾性材により構成される摺接部１２により構成しており、上記球形弾１ａを発射した際にこの球形弾１ａの表面の一部と摺接する事により、この球形弾１ａにこの球形弾１ａの発射方向に直行する軸（本実施例の場合は慣性主軸α）を中心とする回転（図５の矢印イ方向の回転）を与える。又、上記配置手段９は、上記球形弾１ａを、上記慣性主軸αに垂直に交わり、且つ、重心Ｇを通過する仮想平面と、上記摺接部１２とが一致する状態で配置する。
【００２３】
尚、本実施例の場合には、上記摺接部１２を、特許請求の範囲に記載したノズルに相当する銃身５ａの先端を標的に向けた状態で、この銃身５ａの内側面うちで鉛直方向上側となる部分に設けると共に、上記配置手段９を、同じく上記銃身５ａの先端を標的に向けた状態で、上記球形弾１ａを上記慣性主軸αを水平にした状態で配置するものとしている。この為に、本実施例の場合には、前述した様に球形弾１ａの質量増大部１０を磁性体を含むものとすると共に、銃身５ａの基端部（図５の構造）内側面に、或いは、発射前の上記各球形弾１ａ、１ａを複数個収納する弾倉１３の内側（図６の構造）に、永久磁石、電磁石等の磁石１4を設け、この磁石１４の磁力に基づき上記各球形弾１ａ、１ａを所定方向に向けた状態で整列自在としている。本実施例の場合は、上記磁石１４を、上記銃身５ａの内側面、或いは、上記弾倉１３の内側面に、上記各球形弾１ａ、１ａの進行方向に亙って設けている。又、この磁石１４は、図６に示す様に弾倉１３の内側面で１個設けても良いし、図７に示す様に、弾倉１３ａの内側面で互いに１８０度反対側位置に、互いに対向する状態で２個設けても良い。
【００２４】
尚、上記配置手段９は、上述の様に弾倉１３、１３ａに設ける他、図８に示す様に、銃身５ｂ内に、この銃身５ｂの長さ方向に全体に亙って設ける事もできる。この場合には、上記球形弾１ａがこの銃身５ｂ内を通過する際にも、上記慣性主軸αを所定の方向（例えば水平方向）に向けた状態を維持できる。又、本実施例の場合は、上記配置手段９、９ａ、９ｂを磁石１４により構成しているが、前述の様に各球形弾１ａ、１ａを整列させる為に、色識別センサー、導通センサー等を使用する事もできる。この場合には、上記各球形弾１ａ、１ａに、例えば所定の着色をしたり、導体を添着したりする。
【００２５】
上述した様な本実施例の球形弾１ａ及びこの球形弾１ａの発射装置２ａによれば、上記球形弾１ａに、慣性主軸α周りに安定した回転を発生させると共に、この回転を持続し易くできる。この為、上記球形弾１ａに安定したホップ回転を与え、この球形弾１ａをより遠くへ飛ばすと共に、より精度の高い弾道を安定して得る事ができる。
【００２６】
尚、図示は省略するが、銃身５ａ、５ｂの先端を標的に向けた状態で、上記球形弾１ａを、慣性主軸αを水平にした状態で配置し、回転付与手段１１により、この慣性主軸αを中心とした発射方向下向の回転を与える事もできる。又、球形弾１ａを、慣性主軸αを鉛直方向に向けた状態で配置し、回転付与手段１１により、この慣性主軸αを中心とした発射方向左向き又は右向きの回転を与える事もできる。又、これらの構成を採用する場合に、複数本の銃身５ａ、５ｂを備え、これら各銃身５ａ、５ｂ毎に設けた各回転付与手段１１、１１により、それぞれの銃身５ａ、５ｂから発射される球形弾１ａ、１ａに、それぞれ異なる方向の回転を与える事もできる。
【図面の簡単な説明】
【００２７】
【図１】（A）に従来の球形弾を、（B）に従来の発射装置を、それぞれ示した。
【図２】本発明と比較するためにライフル銃の構造を示した。
【図３】本発明と比較するために慣性モーメントを大きくしたゴルフボールの構造を示した。
【図４】本発明の球形弾を示した。黒色で着色した部分に磁性体を印刷することで質量を与えて、図示した軸周りの慣性モーメントを増加させる。またこの部分により回転軸を認識させる。
【図５】本発明の球形弾の発射装置を示した。
【図６】本発明の球形弾の整列装置を示した。
【図７】本発明の球形弾の整列手段の別例を示した。
【図８】本発明の球形弾の発射装置及び整列装置の別例を示した。
【符号の説明】
【００２８】
１、１ａ  球形弾
２、２ａ、２ｂ  発射装置
３    ライフル銃
４    ライフル弾
５、５ａ、５ｂ  銃身
６    溝
７    ゴルフボール
８    外皮
９、９ａ、９ｂ  配置手段
１０    質量増大部
１１    回転付与手段
１２    摺接部
１３、１３ａ  弾倉
１４    磁石
【図１】
2006313028.tif 000003
【図２】
2006313028.tif 000004
【図３】
2006313028.tif 000005
【図４】
2006313028.tif 000006
【図５】
2006313028.tif 000007
【図６】
2006313028.tif 000008
【図７】
2006313028.tif 000009
【図８】
2006313028.tif 000010